(57)【特許請求の範囲】
【請求項１】
電子カメラの収納部、該収納部に収納された電子カメラ側の接点と電気的に接続される接点、収納部に収納された電子カメラと外部機器とを電気的に接続する端子を備えた電子カメラ用アダプタに於いて、
前記収納部に収納された電子カメラの撮影レンズに対向する位置にクローズアップレンズが取り付けられ、電子カメラを前記収納部に収納した状態で該電子カメラによる接写撮影を前記クローズアップレンズにより可能としたことを特徴とする電子カメラ用アダプタ。
【請求項２】
前記クローズアップレンズの前面に、接写用被写体を保持する保持部材が取り付けられることを特徴とする請求項１記載の電子カメラ用アダプタ。
【請求項３】
前記接写用被写体が透過原稿の場合には、前記保持部材に光源が設けられ、この光源によって前記透過原稿を照射して、その透過画像光を前記クローズアップレンズを介して前記電子カメラで撮像することを特徴とする請求項２記載の電子カメラ用アダプタ。
【請求項４】
前記クローズアップレンズの前面に、接写用被写体を保持する保持部が形成されていることを特徴とする請求項１記載の電子カメラ用アダプタ。
【発明の詳細な説明】
【０００１】
【産業上の利用分野】
本発明は電子カメラ用アダプタに係り、特にカメラ一体型ＶＴＲや電子スチルカメラ等の電子カメラをテレビやビデオ等の他の機器と接続するための電子カメラ用アダプタに関する。
【０００２】
【従来の技術】
従来、接写撮影機能を持たせた電子カメラとして特開平４−２１６５３６号公報、実開平３−１００８３９号公報に開示されたものがある。特開平４−２１６５３６号公報には、接写用アダプタである光学アクセサリを、カメラ側の撮影レンズ鏡胴にバヨネットマウントで結合したビデオカメラが開示されており、また、実開平３−１００８３９号公報には、クローズアップレンズであるコンバージョンレンズを保持した接写用アタッチメントを、位置決め部によりカメラの前面に位置決めし、そしてカメラ本体の三脚取付用ねじ穴を利用してねじ固定した電子スチルカメラが開示されている。
【０００３】
【発明が解決しようとする課題】
ところで、近年のビデオカメラは小型軽量化が進み、カメラ部とＶＴＲデッキ部とが一体になったカメラ一体型ＶＴＲが主流になっている。
しかしながら、このように小型化されたカメラ一体型ＶＴＲでは、カメラ一体型ＶＴＲ側に光学アクセサリや接写用アタッチメント等の接写用アダプタを取り付るための構造を付加しようとするとコストがかかると共にデザイン上の制約となるという欠点があるので、従来では接写撮影用として実用化されていない。
【０００４】
本発明はこのような事情に鑑みてなされたもので、専用の接写用アダプタを取り付けることなく電子カメラによる接写撮影を可能とする電子カメラ用アダプタを提供することを目的とする。
【０００５】
【課題を解決するための手段】
本発明は、前記目的を達成するために、電子カメラの収納部、該収納部に収納された電子カメラ側の接点と電気的に接続される接点、収納部に収納された電子カメラと外部機器とを電気的に接続する端子を備えた電子カメラ用アダプタに於いて、前記収納部に収納された電子カメラの撮影レンズに対向する位置にクローズアップレンズが取り付けられ、電子カメラを前記収納部に収納した状態で該電子カメラによる接写撮影を前記クローズアップレンズにより可能としたことを特徴としている。
【０００６】
【作用】
本発明は、電子カメラを収納すると電子カメラ側の接点が収納部の接点に接続されて外部機器と電気的に接続される電子カメラ用アダプタに着目し、前記収納部に収納された電子カメラの撮影レンズに対向する位置にクローズアップレンズを取り付けたものである。従って、電子カメラは、収納された状態で、前記クローズアップレンズを介して被写体を撮像することにより、専用の接写用アダプタを取り付ることなく接写撮影を行うことができる。
【０００７】
請求項２記載の電子カメラ用アダプタは、前記クローズアップレンズの前面に、接写用被写体を保持する保持部材を取り付け、この保持部材によって被写体距離を一定に保持する。これにより、本発明では、被写体を一定のピントで撮像することができる。
請求項３記載の電子カメラ用アダプタは、接写用被写体が透過原稿の場合には前記保持部材に光源を設けて、この光源によって透過原稿の画像を照射し、その透過画像光をクローズアップレンズを介して電子カメラで撮像する。これにより、本発明では、透過原稿でも接写撮影を行うことができる。
【０００８】
請求項４記載の電子カメラ用アダプタは、前記クローズアップレンズの前面に、接写用被写体を保持する保持部を一体に形成したものである。これにより、本発明では、別体の被写体保持部材を取り付けることなく接写撮影を行うことができる。
【０００９】
【実施例】
以下添付図面に従って本発明に係る電子カメラ用アダプタの好ましい実施例を詳述する。
図１は、本発明に係る電子カメラ用アダプタが適用されるカメラ一体型ＶＴＲを前面側から見た斜視図、図２は裏面側から見た斜視図である。
【００１０】
図１、図２に示すように、このカメラ一体型ＶＴＲ１００はカメラ前後方向（図１上の矢印ＡＢ方向）に薄い、偏平な略直方体の外観形状を有している。図１に示すように、撮影レンズ１１０及び光学ビューファインダ１２０はカメラ上方に併設され、ステレオマイク１３０はカメラ頂部に配設されている。符号１４０はＶＴＲデッキ部、１５０はサイドグリップ部、１５２は撮影ボタン、１５４はテレ／ワイド切換ボタンである。
【００１１】
撮影レンズ１１０は、撮影倍率が約３倍のズームレンズであり、テレ／ワイド切換ボタン１５４を操作することにより焦点距離が切り換えられるようになっている。
光学ビューファインダ１２０は、撮影範囲と視野範囲が一致するように撮影レンズ１１０の焦点距離の切換えに応じて、即ち、テレ／ワイド切換ボタン１５４のボタン操作に応じて視野範囲が可変可能に構成されている。
【００１２】
ＶＴＲデッキ部１４０は、図示しない回転ヘッドドラム、テープローディング機構、テープ給送機構等を含み、前記撮影レンズ１１０によって撮影した被写体を示すビデオ信号やステレオマイク１３０によって検出したオーディオ信号を８ミリカセットのビデオテープに磁気記録再生する。符号１４２はカセットの挿入及び取出時に開閉されるカセット蓋であり、１４４はカセットイジェクトボタンである。
【００１３】
サイドグリップ部１５０はふくらみをもって形成されており、カメラ前面には指掛かり部１５１が形成され、カメラ裏面には図２に示すように親指及び親指の付け根部分が位置する凹部１５５が形成されている。符号１５６はグリップベルトである。
撮影ボタン１５２はカメラ前面に配設され、上記サイドグリップ部１５０を把持した右手の人指し指によって操作される。また、前記テレ／ワイド切換ボタン１５４も右手の人指し指によって操作可能な位置に配設されている。
【００１４】
一方、カメラ一体型ＶＴＲ１００の裏面には、光学ビューファインダ１２０の下側に隣接して液晶表示部１６０が配設され、更に、その下方には図示しないバッテリーが装着されるバッテリー装着部１７０が形成されている。カメラ一体型ＶＴＲ１００の裏面には、種々のボタン類が配設されている。即ち、符号１６２は電源スイッチ、１６４はカメラモードとＶＴＲモードとを切り換えるモード切換ボタン、１６６はＶＴＲモード時等において、再生、停止、早送り、巻戻し等を指令するボタン群、１７２はバッテリーイジェクトボタンである。
【００１５】
また、図３に示すように、カメラ一体型ＶＴＲ１００には外部機器との接続用のコネクタ１０５が配設され、このコネクタ１０５はコネクタカバー１０６を開くことにより外部に露出され、外部機器との接続が可能となっている。前記コネクタカバー１０６は、開閉ボタン１０７によって開閉される。符号１０８Ａは、三脚固定用のネジ穴であり、１０８Ｂは、三脚固定用の位置決め穴である。
【００１６】
次に、本発明に係る電子カメラ用アダプタについて説明する。
図４は、本発明の第１実施例に係る電子カメラ用アダプタに、上述したカメラ一体型ＶＴＲ１００が収納される状態を示した斜視図であり、図５はカメラ一体型ＶＴＲ１００が収納された電子カメラ用アダプタの斜視図である。
図４に示すように電子カメラ用アダプタ２００は、アダプタ本体２０２と、上蓋２０４とから構成され、この上蓋２０４はヒンジ２０５によってアダプタ本体２０２に開閉自在に配設されている。上蓋２０４を開いたアダプタ本体２０２の内部には、カメラ収納部２０６が形成され、このカメラ収納部２０６にカメラ一体型ＶＴＲ１００が、そのＶＴＲデッキ部１４０が水平になるように収納される（図５参照）。アダプタ本体２０２にカメラ一体型ＶＴＲ１００が収納されると、カメラ収納部２０６に配設された図４に示すコネクタ２０７と、図３に示したカメラ一体型ＶＴＲ１００側のコネクタ１０５とが接続される。これにより、カメラ一体型ＶＴＲ１００は、アダプタ本体２０２側の再生、停止、早送り、巻戻し等を指令するボタン群２０８、及び録画ボタン２１０のボタン操作により外部操作可能となる。符号２１２は、電子カメラ用アダプタ２００をテレビシステム等の外部機器に電気的に接続するためのコネクタである。
【００１７】
一方、図４、図５に示すように、電子カメラ用アダプタ２００の上蓋２０４には、クローズアップレンズ２１４が取り付けられている。このクローズアップレンズ２１４は、上蓋２０４を閉じた時に、収納部２０６に収納されたカメラ一体型ＶＴＲ１００の撮影レンズ１１０の前面に位置される。
次に、前記の如く構成された電子カメラ用アダプタ２００による接写撮影方法について説明する。先ず、カメラ一体型ＶＴＲ１００をアダプタ本体２０２の収納部２０６に収納した後、上蓋２０４を閉じてカメラ一体型ＶＴＲ１００の撮影レンズ１１０の前面に前記クローズアップレンズ２１４を位置させる。そして、クローズアップレンズ２１４を接写撮影用の被写体に向けてアダプタ本体２０２の録画ボタン２１０を押す。これにより、カメラ一体型ＶＴＲ１００が録画状態となるので、カメラ一体型ＶＴＲ１００を電子カメラ用アダプタ２００に収納した状態で接写撮影を行うことができる。
【００１８】
従って、本実施例では、電子カメラ用アダプタ２００にクローズアップレンズ２１４を取り付けたことにより、専用の接写用アダプタを取り付ることなくカメラ一体型ＶＴＲ１００による接写撮影を行うことができる。
図６には、電子カメラ用アダプタ２００のクローズアップレンズ２１４の前方に被写体の保持部材である保持ユニット２１６が取り付けられた状態が示されている。
【００１９】
本実施例の保持ユニット２１６は、透明原稿である現像済みネガフイルム２１８を保持し、このネガフイルム２１８の画像を接写撮影可能としたものである。図７に示すように前記保持ユニット２１６は、内部が中空に形成されたケース２２０を有し、このケース２２０の下部縁部２２２が、上蓋２０４のクローズアップレンズ２１４の周部に形成された溝２２４に係合されることによりクローズアップレンズ２１４の前方に位置決めされる。
【００２０】
また、前記ケース２２０の図７中両側面２２０Ａ、２２０Ｂには、スリット２２６Ａ、２２６Ｂが形成される。前記ネガフイルム２１８を保持したフイルムキャリア２２８は、前記スリット２２６Ａ、２２６Ｂに挿通されて、クローズアップレンズ２１４の撮影光軸２３０に対して直交方向にスライド移動自在に保持される。更に、前記ケース２２０には、光源ランプ２３２、リフレクタ２３４、散光板２３６が内設されている。
【００２１】
このように構成された保持ユニット２１６によれば、光源ランプ２３２を点灯させると、その照明光はリフレクタ２３４で反射された後、散光板２３６によって散光されてネガフイルム２１８を照射する。そして、ネガフイルム２１８の透過画像光がクローズアップレンズ２１４を介して電子カメラで撮像される。
従って、本実施例では、保持ユニット２１６を使用することにより、電子カメラ用アダプタ２００を据え置き状態で接写撮影が可能となり、また、透明原稿のネガフイルム画像でも接写撮影することができる。更に、ネガフイルム２１８は、保持ユニット２１６によって撮影距離が一定に保持されるので、一定のピントで接写撮影を行うことができる。
【００２２】
図８は、本発明の第２実施例に係る電子カメラ用アダプタにカメラ一体型ＶＴＲ１００が収納される状態を示した斜視図であり、図４〜図６に示した第１実施例と同一、若しくは類似の部材については同一の符号を付してその説明は省略する。
同図に示す電子カメラ用アダプタ３００は、アダプタ本体３０２が略立方体形状の箱形に形成され、その上面には、カメラ一体型ＶＴＲ１００を撮影レンズ１１０を下向きにして収納する収納凹部３０４が形成されている。前記収納凹部３０４の前記撮影レンズに対向する位置にはクローズアップレンズ２１４が取り付けられる。アダプタ本体３０２のクローズアップレンズ２１４の前面、即ち、クローズアップレンズ２１４の下方には、撮影露光枠３０６が形成される。また、アダプタ本体３０２には、フイルムキャリア２２８の挿通路３０８が前記撮影露光枠３０６に直交して形成され、フイルムキャリア２２８は挿通路３０８の入口３０８Ａから撮影露光枠３０６を横切って出口３０８Ｂに送り出される。
【００２３】
更に、アダプタ本体３０２の下部には、前記撮影露光枠３０６に連通されたポケット部３０９が形成される。このポケット部３０９の下面には、反射原稿であるプリント写真３１０等を載置するテーブル３１２が形成されている。また、テーブル３１２には、そのテーブル面よりも下側に図示しない光源ランプが設置され、この光源ランプによって、前記挿通路３０８に挿通されたネガフイルムを撮影露光枠３０６を介して照明することができる。更に、前記ポケット部３０９の上面には図中点線で示すように、一対の光源ランプ３１４、３１４が設置され、この光源ランプ３１４、３１４によって、前記テーブル３１２に載置された反射原稿を照射することができる。
【００２４】
次に、前記の如く構成された電子カメラ用アダプタ３００による接写撮影方法について説明する。
先ず、カメラ一体型ＶＴＲ１００を下向きにアダプタ本体３０２の収納凹部３０４に収納して、カメラ一体型ＶＴＲ１００の撮影レンズ１１０の前面に前記クローズアップレンズ２１４を位置させる。
【００２５】
そして、ネガフイルム２１８を接写撮影する場合には、ネガフイルム２１８を保持したフイルムキャリア２２８を挿通路３０８の入口３０８Ａから挿入し、ネガフイルム２１８の画像を撮影露光枠３０６上に位置させる。そして、光源ランプを点灯し、前記ネガフイルム２１８の画像を撮影露光枠３０６を介して照射する。これにより、ネガフイルム２１８の透過画像光がクローズアップレンズ２１４を介してカメラ一体型ＶＴＲ１００で撮像されるので、ネガフイルム２１８を接写撮影することができる。
【００２６】
一方、プリント写真３１０を接写撮影する場合には、プリント写真３１０をテーブル３１２上に載置して、このプリント写真３１０を光源ランプ３１４、３１４によって照明すると、その反射光が撮影露光枠３０６、及びクローズアップレンズ２１４を介してカメラ一体型ＶＴＲ１００で撮像されるので、プリント写真３１０を接写撮影することができる。
【００２７】
このように、本実施例の電子カメラ用アダプタ３００では、接写被写体の保持部であるフイルムキャリア２２８の挿通路３０８と、プリント写真３１０の載置用テーブル３１２とをアダプタ本体３０２に一体に形成したので、図６、図７に示した保持ユニット２１６を使用することなく、カメラ一体型ＶＴＲ１００による接写撮影を行うことができる。
【００２８】
本発明では、カメラ一体型ＶＴＲ１００に適用された電子カメラ用アダプタについて述べたが、電子スチルカメラに適用される電子カメラ用アダプタについても同様に構成すれば良い。
【００２９】
【発明の効果】
以上説明したように本発明に係る電子カメラ用アダプタによれば、収納部に収納された電子カメラの撮影レンズに対向する位置にクローズアップレンズを取り付けることにより、電子カメラを収納した状態で接写撮影可能としたので、電子カメラに専用の接写用アダプタを取り付る必要がなくなり、また、カメラのコストアップ、大型化、デザインへの悪影響等を招くことなく接写撮影を行うことができる。
【図面の簡単な説明】
【図１】本発明に係る電子カメラ用アダプタが適用されるカメラ一体型ＶＴＲを前面側から見た斜視図
【図２】図１に示したカメラ一体型ＶＴＲを裏面側から見た斜視図
【図３】図１に示したカメラ一体型ＶＴＲのコネクタ部分を示す要部斜視図
【図４】本発明の第１実施例に係る電子カメラ用アダプタにカメラ一体型ＶＴＲを収納する状態を示す斜視図
【図５】図４に示した電子カメラ用アダプタにカメラ一体型ＶＴＲが収納された状態を示す斜視図
【図６】図５に示した電子カメラ用アダプタにネガフイルムの保持ユニットが取り付けられた状態を示す斜視図
【図７】ネガフイルムの保持ユニットの断面図
【図８】本発明の第２実施例に係る電子カメラ用アダプタにカメラ一体型ＶＴＲを収納する状態を示す斜視図
【符号の説明】
１００…カメラ一体型ＶＴＲ
１１０…撮影レンズ
２００、３００…電子カメラ用アダプタ
２０２、３０２…アダプタ本体
２０４…上蓋
２０６…カメラ一体型ＶＴＲの収納部
２１０…録画操作用ボタン
２１４…クローズアップレンズ
２１６…保持ユニット
２１８…ネガフイルム
２３２…光源ランプ
３０６…撮影露光枠
【図１】
0003541970.tif 000002
【図２】
0003541970.tif 000003
【図３】
0003541970.tif 000004
【図４】
0003541970.tif 000005
【図５】
0003541970.tif 000006
【図６】
0003541970.tif 000007
【図７】
0003541970.tif 000008
【図８】
0003541970.tif 000009